【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
開創器（１０）を患者の身体内に挿入した後に、前記開創器（１０）に取り付けるための開創器拡張部材（２０）であって、前記開創器拡張部材（２０）は、外科手術中に組織クリープを制限し、前記開創器拡張部材（２０）は、主本体（２８）と、前記拡張部材（２０）を、遠位端（１３）を有する開創器（１０）上の固定された、移動しない位置に取り外し可能に取り付けるための取り付け手段（３０）とを含んでなり、前記取り付け手段（３０）は、前記主本体（２８）上に配置されるクリップ部材（３３）を含んでなり、
それにより前記拡張部材（２０）は、前記遠位端（１３）が前記クリップ部材（３３）によって受容され、かつ、前記主本体（２８）の少なくとも一部が前記開創器の遠位端（１３）を超えて延在するよう、前記開創器部材（１０）上に取り付け可能であることを特徴とする、開創器拡張部材（２０）。
【請求項２】
前記取り付け手段（３０）が、前記拡張部材（２０）の前記主本体（２８）上に配置されるＵ字型クリップ部材（３３）を含んでなることを特徴とする、請求項１に記載の開創器拡張部材（２０）。
【請求項３】
前記取り付け手段（３０）が、前記拡張部材（２０）の前記主本体（２８）上に配置されるＪ字型クリップ手段（３３）を含んでなることを特徴とする、請求項１に記載の開創器拡張部材（２０）。
【請求項４】
前記取り付け手段（３０）が、前記拡張部材（２０）の前記主本体（２８）上に配置されるスロット（３６）と、前記スロット（３６）内に配置されるＵ字型クリップ部材（３５）とを含んでなることを特徴とする、請求項１に記載の開創器拡張部材（２０）。
【請求項５】
前記拡張部材（２０）の前記主本体（２８）が湾曲していることを特徴とする、請求項１に記載の開創器拡張部材（２０）。
【請求項６】
前記拡張部材（２０）の前記主本体（２８）が、概ね平坦であり、かつ、可撓性材料からなることを特徴とする、請求項１に記載の開創器拡張部材（２０）。
【請求項７】
前記拡張部材（２０）をアプリケータツール（９０）に一時的に接続するためのツールコネクタ手段（２１）をさらに含んでなることを特徴とする、請求項１に記載の開創器拡張部材（２０）。
【請求項８】
前記ツールコネクタ手段（２１）が、前記拡張部材（２０）中に設けられた開口（２２）を含むことを特徴とする、請求項７に記載の開創器拡張部材（２０）。
【請求項９】
前記ツールコネクタ手段（２１）が突起（２３）を含んでなることを特徴とする、請求項７に記載の開創器拡張部材（２０）。
【請求項１０】
歯（２４）をさらに含んでなることを特徴とする、請求項１に記載の開創器拡張部材（２０）。
【請求項１１】
湾曲リップ（２６）をさらに含んでなることを特徴とする請求項１に記載の開創器拡張部材（２０）。
【請求項１２】
前記主本体（２８）から延在する横方向翼（２７）をさらに含んでなることを特徴とする、請求項１に記載の開創器拡張部材（２０）。
【請求項１３】
前記主本体（２８）が、比較的剛性の中心部分（４１）と、一対の比較的可撓性な横方向部分（４２）とから構成されることを特徴とする、請求項１に記載の開創器拡張部材（２０）。
【請求項１４】
開創器部材（１０）と複数の拡張部材（２０）との組み合わせであって、
前記開創器部材（１０）は遠位端（１３）を有し、
前記拡張部材（２０）のそれぞれは主本体（２８）と、前記開創器（１０）が患者内に配置された後に前記開創器部材（１０）上の固定された移動しない位置に前記拡張部材（２０）を取り外し可能に取り付けるための取り付け手段（３０）とを含んでなり、前記取り付け手段（３０）は、前記拡張部材（２０）上に配置されるクリップ部材（３３）を含んでなり、
それにより、前記拡張部材（２０）のそれぞれが、前記遠位端（１３）が前記クリップ部材（３３）によって受容され、かつ、前記主本体（２８）の少なくとも一部が前記開創器の遠位端（１３）を超えて延在するよう、前記拡張部材（２０）が、前記開創器（１０）の前記遠位端（１３）における組織クリープを最小限にするかまたは防ぐよう、前記開創器部材（１０）上に取り付け可能であることを特徴とする、組み合わせ。
【請求項１５】
前記取り付け手段（３０）が、前記拡張部材（２０）のそれぞれの前記主本体（２８）上に配置されるＵ字型クリップ部材（３３）を含んでなることを特徴とする、請求項１４に記載の組み合わせ。
【請求項１６】
前記取り付け手段（３０）が、前記拡張部材（２０）のそれぞれの前記主本体（２８）上に配置されるＪ字型クリップ部材（３３）を含んでなることを特徴とする、請求項１４に記載の組み合わせ。
【請求項１７】
前記取り付け手段（３０）が、前記拡張部材（２０）の前記主本体（２８）上に配置されるスロット（３６）と、前記スロット（３６）内に配置されるＵ字型クリップ部材（３５）とを含んでなることを特徴とする、請求項１４に記載の組み合わせ。
【請求項１８】
前記拡張部材（２０）の前記主本体（２８）が湾曲していることを特徴とする、請求項１４に記載の組み合わせ。
【請求項１９】
前記拡張部材（２０）の前記主本体（２８）が概ね平坦であり、かつ、可撓性材料からなることを特徴とする、請求項１４に記載の組み合わせ。
【請求項２０】
前記拡張部材（２０）が、前記拡張部材（２０）をアプリケータツール（９０）に一時的に接続するためのツールコネクタ手段（２１）をさらに含んでなることを特徴とする、請求項１４に記載の組み合わせ。
【請求項２１】
前記ツールコネクタ手段（２１）が、前記拡張部材（２０）内に設けられる少なくとも１つの開口（２２）を含んでなることを特徴とする、請求項２０に記載の組み合わせ。
【請求項２２】
前記ツールコネクタ手段（２１）が突起（２３）を含んでなることを特徴とする、請求項２０に記載の組み合わせ。
【請求項２３】
前記拡張部材（２０）が歯（２４）をさらに含んでなることを特徴とする、請求項１４に記載の組み合わせ。
【請求項２４】
前記拡張部材（２０）が湾曲リップ（２６）をさらに含んでなることを特徴とする、請求項１４に記載の組み合わせ。
【請求項２５】
前記拡張部材（２０）が、横方向翼（２７）をさらに含んでなることを特徴とする、請求項１４に記載の組み合わせ。
【請求項２６】
前記開創器部材（１０）が筒型であること特徴とする、請求項１４に記載の組み合わせ。
【請求項２７】
前記開創器部材（１０）が、拡張可能なブレードを含んでなることを特徴とする、請求項１４に記載の組み合わせ。
【請求項２８】
前記拡張部材（２０）のそれぞれもまた、前記主本体（２８）の少なくとも一部が前記ブレード間に延在するよう、前記開創器部材（１０）の前記ブレード上に横方向に取り付け可能であることを特徴とする、請求項２７に記載の組み合わせ。
【請求項２９】
前記拡張部材（２０）が横方向翼（２７）をさらに含んでなることを特徴とする、請求項２７に記載の組み合わせ。
【請求項３０】
前記拡張部材（２０）が多様な形態並びに寸法を有することを特徴とする、請求項１４に記載の組み合わせ。
【請求項３１】
前記開創器（１０）には複数の格子状開口（３４）を設けられ、前記格子状開口（３４）の少なくともいくつかが、全ての前記格子状開口（３４）が前記遠位端（１３）から等距離であるとは限らないよう、軸方向において離間していることを特徴とする、請求項１４に記載の組み合わせ。
【請求項３２】
前記主本体（２８）が、比較的剛性の中心部分（４１）と、一対の比較的可撓性の横方向部分（４２）とからなることを特徴とする、請求項１４に記載の組み合わせ。
【請求項３３】
アプリケータツール（９０）をさらに含み、前記アプリケータツール（９０）は、軸回転手段（９２）によって一対のＬ字型アーム（９３）に接続される一対のハンドル（９１）と、前記拡張部材（２０）を前記開創器部材（１０）に取り付けるために前記拡張部材（２０）を一時的に保持する、前記Ｌ字型アーム（９３）上に配置される拡張部材保持手段（９４）とを含んでなることを特徴とする、請求項２０に記載の組み合わせ。
【請求項３４】
前記ツールコネクタ手段（２１）が、前記拡張部材（２０）中に設けられる少なくとも１つの開口（２２）を含んでなり、前記拡張部材保持手段（９４）は、前記少なくとも１つの開口（２２）によって受容される少なくとも１つのピン（９５）を含んでなることを特徴とする、請求項２０に記載の組み合わせ。